(57)【要約】【課題】高層や超高層の構造物において高次モードの振動が生じた場合にも上層部の振動を抑えることができる制振構造を提供する。【解決手段】高層または超高層の構造物２の最上部分となる高層部４に生じる高次モードの振動を抑える制振構造１において、高層部４の下側の下層部３に高次モードの振動に同調する回転慣性質量ダンパー５１が設けられている。回転慣性質量ダンパー５１は、上下方向に複数配列され、それぞれ下層部３における複数層に跨って作用するように設けられている。【選択図】図１
2020094389.tif 000002
【特許請求の範囲】
【請求項１】
高層または超高層の構造物の最上部分となる高層部に生じる高次モードの振動を抑える制振構造において、
前記高層部の下側の下層部に高次モードの振動に同調する回転慣性質量ダンパーが設けられていることを特徴とする制振構造。
【請求項２】
前記回転慣性質量ダンパーは、上下方向に複数配列され、それぞれ前記下層部における複数層に跨って作用するように設けられていることを特徴とする請求項１に記載の制振構造。
【請求項３】
前記高層部と前記下層部とは、剛性が異なることを特徴とする請求項１または２に記載の制振構造。
【請求項４】
前記下層部は、コア部と、前記コア部に隣接するコア隣接部と、を有し、
前記コア部は、前記コア隣接部よりも剛性が大きく設定され、
前記回転慣性質量ダンパーは、前記コア部に設けられていることを特徴とする請求項１乃至３のいずれか一項に記載の制振構造。
【請求項５】
前記高層部は、平面形状が前記下層部よりも小さく、平面視において前記下層部の外周部の内側に配置されていることを特徴とする請求項１乃至４のいずれか一項に記載の制振構造。
【発明の詳細な説明】
【技術分野】
【０００１】
本発明は、制振構造に関する。
【背景技術】
【０００２】
制振構造では、構造物に生じた振動エネルギーを摩擦ダンパーや油圧式ダンパーなどの制振装置が吸収することで振動応答を低減させるように構成されている（例えば、特許文献１参照）。高層や超高層の構造物においても、制振構造を採用することで振動応答を低減させることができる。
【先行技術文献】
【特許文献】
【０００３】
【特許文献１】特開２００１−１７３２６４号公報
【発明の概要】
【発明が解決しようとする課題】
【０００４】
高層や超高層の構造物では、２次や３次といった高次モードの振動が生じると、下層部と比べて上層部では揺れが増幅され、上層部が大きく揺れる所謂むち振り現象が生じることがある。
【０００５】
そこで、本発明は、高層や超高層の構造物において高次モードの振動が生じた場合にも上層部の振動を抑えることができる制振構造を提供することを目的とする。
【課題を解決するための手段】
【０００６】
上記目的を達成するため、本発明に係る制振構造は、高層または超高層の構造物の最上部分となる高層部に生じる高次モードの振動を抑える制振構造において、前記高層部の下側の下層部に高次モードの振動に同調する回転慣性質量ダンパーが設けられていることを特徴とする。
【０００７】
本発明では、高層部の下側の下層部に高次モードの振動に同調する回転慣性質量ダンパーが設けられていることにより、高層部における高次モードの振動が低減され、高層部のむち振り現象を抑えることができる。
【０００８】
また、本発明に係る制振構造では、前記回転慣性質量ダンパーは、上下方向に複数配列され、それぞれ前記下層部における複数層に跨って作用するように設けられていてもよい。
このような構成とすることにより、回転慣性質量ダンパーが抑制可能な変形量を増大することができ、回転慣性質量ダンパー全体の容量を増大させることができるため、高層部の高次モードの振動をより低減させることができる。
【０００９】
また、本発明に係る制振構造では、前記高層部と前記下層部とは、剛性が異なっていてもよい。
このような構成とすることにより、高層部と下層部とが剛性が異なり、高層部において高次モードの振動が増幅されやすい場合でも、高層部の高次モードの振動を低減させることができる。
【００１０】
また、本発明に係る制振構造では、前記下層部は、コア部と、前記コア部に隣接するコア隣接部と、を有し、前記コア部は、前記コア隣接部よりも剛性が大きく設定され、前記回転慣性質量ダンパーは、前記コア部に設けられていてもよい。
このような構成とすることにより、回転慣性質量ダンパーは、下層部における剛性の大きいコア部に設けられているため、高層部の高次モードの振動をより低減させることができる。
【００１１】
また、本発明に係る制振構造では、前記高層部は、平面形状が前記下層部よりも小さく、平面視において前記下層部の外周部の内側に配置されていてもよい。
このような構成とすることにより、高層部の平面形状が下層部の平面形状よりも小さく、高層部における高次モードの振動が増幅されやすい場合でも、高層部の高次モードの振動をより低減させることができる。
【発明の効果】
【００１２】
本発明によれば、高次モードの振動が生じた際に上層部に生じるむち振り現象を抑えることができる。
【図面の簡単な説明】
【００１３】
【図１】本発明の実施形態による構造物の一例を示す立面図である。
【図２】図１のＡ−Ａ線断面図である。
【発明を実施するための形態】
【００１４】
以下、本発明の実施形態による制振構造について、図１および図２に基づいて説明する。
図１に示すように、本実施形態による制振構造１は、超高層の構造物２に採用されている。
本実施形態の構造物２は、地上４２階建てで、地上１階から５階までは商業施設として使用され、地上１階から３４階まではオフィスとして使用され、地上３５階から４２階まではホテルとして使用されるように想定されている。
以下では、地上１階から３４階までを下層部３とし、地上３５階から４２階までの最上部分を高層部４とする。
【００１５】
下層部３は、上下方向全体にわたってほぼ同じ外形に形成されている。図２に示すように、下層部３は、平面における中央部に位置するコア部３１と、コア部３１の周囲に隣接するコア隣接部３２と、を有している。本実施形態では、コア隣接部３２は、コア部３１を囲繞するように設けられている。コア部３１には、エレベータや階段などが設置され、コア隣接部３２には、店舗や執務室などが設置されている。
図１および図２に示すように、コア部３１には、所定の剛性を有するコアフレーム３３が設けられているとともに、粘性系ダンパーおよび履歴系ダンパーなどの制振装置３４（図１参照）が設けられている。コア部３１は、コア隣接部３２よりも剛性が大きく設定されている。
コア部３１は、上の層よりも下の層のほうが平面視形状が大きく設計され、剛性が大きく設定されている。各層のコア部３１は、上下方向に連続するように配置されている。
【００１６】
下層部３における上部側となる２９階から３４階まで（中層部５とする）には、回転慣性質量ダンパー５１が設置されている。回転慣性質量ダンパー５１は、中層部５におけるコア部３１に設けられている。
回転慣性質量ダンパー５１は、高次モードに同調させて高層部４の加速度応答を低減するように構成されている。
本実施形態では、回転慣性質量ダンパー５１は、上下方向に３つ配列されていて、それぞれ２つの階（層）に跨って作用するように配置されている。本実施形態では、２９階および３０階に跨って作用するように設置される回転慣性質量ダンパー５１Ａ、３１階および３２階に跨って作用するように設置される回転慣性質量ダンパー５１Ｂ、３３階および３４階に跨って作用するように設置される回転慣性質量ダンパー５１Ｃの３つの回転慣性質量ダンパー５１が上下方向に連続して配列されている。
【００１７】
高層部４は、上下方向全体にわたってほぼ同じ外形に形成されている。高層部４は、平面視形状が下層部３よりも小さく形成されている。高層部４は、下層部３の平面視における中央部分の上部で、コア部３１の上部に配置されている（図２参照）。高層部４は、中層部５に設けられた回転慣性質量ダンパー５１の直上に配置されている。
高層部４には、アンボンドブレース４１や履歴系ダンパーなどが設置されている。
【００１８】
本実施形態では、下層部３は、高層部４に対して剛性が大きく設定されている。本実施形態では、下層部３は高層部４に対して１．２〜２．５倍の剛性を有している。
【００１９】
次に、上述した本実施形態による制振構造１の作用・効果について図面を用いて説明する。
上述した本実施形態による制振構造１では、高層部４の下側の中層部５（下層部３）に高次モードの振動に同調する回転慣性質量ダンパー５１が設けられていることにより、高層部４における高次モードの振動が低減し、高層部４のむち振り現象を抑えることができる。
【００２０】
また、本実施形態では、高層部４と下層部３とが剛性が異なっているため、高層部４において高次モードの振動が増幅されやすい。さらに、本実施形態では、高層部４は、平面形状が下層部３よりも小さく、平面視において下層部３の外周部の内側に配置されているため、高層部４において高次モードの振動が増幅されやすい。これらに対して、本実施形態では、上述したように高層部４の下側の中層部５に高次モードの振動に同調する回転慣性質量ダンパー５１が設けられていることにより、高層部４における高次モードの振動が低減し、高層部４のむち振り現象を抑えることができる。
【００２１】
また、中層部５の回転慣性質量ダンパー５１は、上下方向に複数配列され、それぞれ中層部５における２層に跨って作用するように設けられている。このような構成とすることにより、回転慣性質量ダンパー５１が抑制可能な変形量を増大することができ、回転慣性質量ダンパー５１全体の容量を増大させることができるため、高層部４の高次モードの振動をより低減させることができる。
【００２２】
また、下層部３は、コア部３１と、コア隣接部３２と、を有し、コア部３１は、コア隣接部３２よりも剛性が大きく設定され、回転慣性質量ダンパー５１は、コア部３１に設けられている。このような構成とすることにより、回転慣性質量ダンパー５１が下層部３における剛性の大きいコア部３１に設けられているため、回転慣性質量ダンパー５１自体の変位が抑制され、高層部４の高次モードの振動をより低減させることができる。
【００２３】
以上、本発明による制振構造の実施形態について説明したが、本発明は上記の実施形態に限定されるものではなく、その趣旨を逸脱しない範囲で適宜変更可能である。
例えば、上記の実施形態では、中層部５の回転慣性質量ダンパー５１は、上下方向に複数配列され、それぞれ中層部５における２層に跨って作用するように設けられている。これに対し、中層部５の回転慣性質量ダンパー５１は、上下方向に複数配列されていなくてもよく、また、１層に対して設けられていてもよいし、３層以上の複数層に跨るように設けられていてもよい。
また、上記の実施形態では、中層部５の回転慣性質量ダンパー５１は、コア部３１に設けられているが、コア隣接部３２に設けられていてもよい。また、中層部５にコア部３１が形成されていなくてもよい。
また、上記の実施形態では、コア部３１に粘性系ダンパーおよび履歴系ダンパーなどの制振装置３４が設けられているが、コア部３１に制振装置３４が設けられていなくてもよい。また、コア部３１以外に制振装置が設けられていてもよい。また、コア部３１やコア部３１以外に設けられる制振装置の種類は適宜設定されてよい。
【００２４】
また、上記の実施形態では、高層部４と下層部３とは剛性が異なっているが、高層部４と下層部３の構成は同じであってもよい。また、下層部３よりも高層部４の剛性が大きく設定されていてもよい。
また、上記の実施形態では、高層部４にアンボンドブレース４１や履歴系ダンパーなどが設けられているが、高層部４にアンボンドブレース４１や履歴系ダンパーなどが設けられていなくてもよい。また、高層部４にダンパーが設けられる場合は、ダンパーの種類は適宜設定されてよい。
【００２５】
また、上記の実施形態では、高層部４は、平面形状が下層部３よりも小さく、平面視において下層部３の外周部の内側に配置されているが、高層部４が下層部３と同じ平面形状であってもよい。また、高層部４が下層部３よりも側方に張り出す構成であってもよい。
【符号の説明】
【００２６】
１  制振構造
２  構造物
３  下層部
４  高層部
５  中層部
３１  コア部
３２  コア隣接部
５１  回転慣性質量ダンパー
【図１】
2020094389.tif 000003
【図２】
2020094389.tif 000004